(57)【要約】【課題】温水洗浄装置本体等の機器本体とリモコンとに同一の識別コードが確実且つ容易に設定され、しかも各機器本体は共通化されるリモコン操作式機器を提供する。【解決手段】温水洗浄装置本体の電源スイッチをＯＮにすると、この温水洗浄装置は所定時間識別コード記憶モードにおかれる。リモコン２０の特定のスイッチが所定回数以上連続して繰り返し操作されると、該リモコン２０からの信号が制御部５２において記憶開始指令信号として認識され、当該リモコン信号に含まれる識別コード（Ｄ１〜Ｄｎのいずれか）を識別コード記憶部５３の識別コードとして記憶し、識別コード記憶モードを終了させる。電源投入から前記所定時間が経過した後も、識別コード記憶モードを終了させる。【選択図】図３
2005184115.tif 000002
【特許請求の範囲】
【請求項１】
複数の操作スイッチを有するリモコンと、該リモコンによって操作される機器本体とを備えてなるリモコン操作式機器であって、
該機器本体には、識別コードの記憶部が設けられており、
該リモコンは、該操作スイッチが操作されたときに識別コード信号と操作信号とを発信するリモコン操作式機器において、
該リモコンに識別コードが予め設定されており、
該機器本体の該記憶部は、予め複数のコードが設定されており、この複数コードの中から、リモコンからの信号によって指定されたコードを識別コードとして記憶するよう構成されていることを特徴とするリモコン操作式機器。
【請求項２】
請求項１において、該記憶部は、該機器本体に電源が供給されてから所定時間の間にのみリモコン信号によって識別コードを記憶するよう構成されていることを特徴とするリモコン操作式機器。
【請求項３】
請求項１において、該記憶部は、前記リモコンからの記憶開始信号を受けてから最初のリモコン信号に含まれる識別コードを記憶するよう構成されていることを特徴とするリモコン操作式機器。
【請求項４】
請求項１ないし３のいずれか１項において、リモコン信号に含まれる識別コードを記憶する識別コード記憶モードにあることを示す手段を備えていることを特徴とするリモコン操作式機器。
【請求項５】
請求項１ないし４のいずれか１項において、該記憶部が識別コードを記憶すると、識別コード記憶モードが終了し、通常運転モードが開始するよう構成されていることを特徴とするリモコン操作式機器。
【請求項６】
請求項１ないし５のいずれか１項において、該リモコン操作式機器は便器に設置される温水洗浄装置であることを特徴とするリモコン操作式機器。
【発明の詳細な説明】
【技術分野】
【０００１】
本発明は、リモコンによって機器本体を操作するよう構成したリモコン操作式機器に係り、例えばトイレルームに設置される温水洗浄装置などに適用されるリモコン操作式機器に関する。詳しくは、複数のトイレブース内にそれぞれリモコン操作式温水洗浄装置が設置されている場合において、１つのブースのリモコンが当該ブースの温水洗浄装置のみを作動させ、他ブースの温水洗浄装置には影響を与えないようにする場合に好適なリモコン操作式機器に関する。
【背景技術】
【０００２】
温水洗浄装置は、便器使用者の臀部を温水で洗浄したり、必要に応じ、その後、温風によって該臀部を乾燥させたりするよう構成されている。
【０００３】
デパート、オフィスビル、学校など、トイレルーム内に複数のブースが区画形成され、各ブース内の便器にそれぞれリモコン操作式温水洗浄装置が設置されている場合、あるブースのリモコンを操作したときにその信号により他ブースの温水洗浄装置も作動する（以下、リモコンの混信ということがある。）ことがあったのでは不便である。そこで、このように複数ブースにそれぞれ温水洗浄装置を設置した場合、各ブースのリモコンから操作信号と共に個別の識別コード信号を発信させると共に、各ブースの温水洗浄装置本体に特定の識別コードを予め設定しておき、リモコンからの識別コード信号が温水洗浄装置本体の識別コードと合致した場合にのみ当該温水洗浄装置本体が作動するよう構成することが提案されている（特開平１１−１４０９４４号公報、特開平１１−２４７２６６号公報）。
【０００４】
特開平１１−１４０９４４号公報の方式によると、例えば２個のブース内の便器にそれぞれ温水洗浄装置本体を設置し、各ブースにそれぞれリモコンを設置しておく。この場合、第１ブースの温水洗浄装置本体に識別コードＣ１を設定しておき、第２ブースの温水洗浄装置本体に識別コードＣ２を設定しておく。
【０００５】
一方、リモコンは、識別コード信号Ｃ１とＣ２とのいずれかを発信するようにコード切替スイッチが設けられており、第１ブースに設置されるリモコンについては信号Ｃ１を発信するようにスイッチを切り替え、第２ブースに設置されるリモコンについては信号Ｃ２を発信するようにスイッチを切り替えておく。
【０００６】
第１ブースのリモコンを操作すると、該リモコンから信号Ｃ１と操作信号（例えば臀部洗浄信号）とが発信される。このリモコン信号が第１ブースの温水洗浄装置本体に受信されると該第１ブースの温水洗浄装置本体は作動するが、第２ブースの温水洗浄装置本体に受信されてもコードが食い違うので第２ブースの温水洗浄装置本体は作動しない。
【０００７】
このようにして、各ブースのリモコンの混信が防止される。
【０００８】
この特開平１１−１４０９４４号では、温水洗浄装置本体のＲＯＭに識別コードを格納してある（同号公報第００１８段落）ため、識別コードの異なる温水洗浄装置本体を準備する必要がある。
【０００９】
前記第２の公知例たる特開平１１−２４７２６６号公報では、温水洗浄装置本体の特定の操作スイッチボタンを特定の順番で操作すると温水洗浄装置本体に識別コードが設定される（第００８０、００８１段落）。リモコンについてもこれと同じスイッチボタン操作を行うことにより同一の識別コードが設定される（第００８２、００８３段落）。
【特許文献１】特開平１１−１４０９４４号公報
【特許文献２】特開平１１−２４７２６６号公報
【発明の開示】
【発明が解決しようとする課題】
【００１０】
上記特開平１１−１４０９４４号公報の温水洗浄装置にあっては、識別コードの異なる温水洗浄装置本体を準備しなければならない。
【００１１】
上記特開平１１−２４７２６６号公報の温水洗浄装置にあっては、温水洗浄装置本体とリモコンとにそれぞれ識別コード設定操作を施す必要があり、コード設定に相当に手間がかかる。また、温水洗浄装置本体に施したコード設定操作手順とリモコンに施したコード設定操作手順とが別であると、両者に設定された識別コードが異なったものとなってしまい、故障と誤解されるおそれも高い。
【００１２】
本発明は、温水洗浄装置本体等の機器本体とリモコンとに同一の識別コードが確実且つ容易に設定され、しかも各機器本体は共通化されるリモコン操作式機器を提供することを目的とする。
【課題を解決するための手段】
【００１３】
本発明（請求項１）のリモコン操作式機器は、複数の操作スイッチを有するリモコンと、該リモコンによって操作される機器本体とを備えてなるリモコン操作式機器であって、該機器本体には、識別コードの記憶部が設けられており、該リモコンは、該操作スイッチが操作されたときに識別コード信号と操作信号とを発信するリモコン操作式機器において、該リモコンに識別コードが予め設定されており、該機器本体の該記憶部は、予め複数のコードが設定されており、この複数コードの中から、リモコンからの信号によって指定されたコードを識別コードとして記憶するよう構成されていることを特徴とするものである。
【００１４】
請求項２のリモコン操作式機器は、請求項１において、該記憶部は、該機器本体に電源が供給されてから所定時間の間にのみリモコン信号によって識別コードを記憶するよう構成されていることを特徴とするものである。
【００１５】
請求項３のリモコン操作式機器は、請求項１において、該記憶部は、前記リモコンからの記憶開始信号を受けてから最初のリモコン信号に含まれる識別コードを記憶するよう構成されていることを特徴とするものである。
【００１６】
請求項４のリモコン操作式機器は、請求項１ないし３のいずれか１項において、リモコン信号に含まれる識別コードを記憶する識別コード記憶モードにあることを示す手段を備えていることを特徴とするものである。
【００１７】
請求項５のリモコン操作式機器は、請求項１ないし４のいずれか１項において、該記憶部が識別コードを記憶すると、識別コード記憶モードが終了し、通常運転モードが開始するよう構成されていることを特徴とするものである。
【００１８】
請求項６のリモコン操作式機器は、請求項１ないし５のいずれか１項において、該リモコン操作式機器は便器に設置される温水洗浄装置であることを特徴とするものである。
【発明の効果】
【００１９】
本発明のリモコン操作式機器にあっては、リモコンに予め当該リモコンに特有の識別コード（例えばＤ１）が設定されている。機器本体には、複数（例えばＤ１〜Ｄｎ）の識別コードが記憶されている。機器本体が識別コード記憶モードにあるときにリモコンから識別コードＤ１が入力されると、機器本体の記憶部に識別コードＤ１が記憶される。
【００２０】
そのため、リモコン操作式機器のメーカーは、リモコンとして識別コードＤ１〜Ｄｎのｎ機種のリモコンを生産しておき、機器本体については識別コードの如何にかかわりなく同一機種を生産・流通させるだけで足りる。一般にリモコンは機器本体に比べて著しく小型であり、構成も簡易であるから、複数機種を生産・流通させることは、機器の生産コストを殆ど上昇させない。
【００２１】
なお、リモコンは、その操作スイッチが操作されると、その度に識別コード信号と操作信号とを出力する。機器本体では、設定された識別コードに合う識別コード信号を付帯した操作信号のみに従って作動を行う。
【００２２】
このように、リモコンは操作信号と共に必ず識別コード信号を発信するため、機器本体が識別コード記憶モードにあるときにリモコンを操作すると、必ずこのリモコンの識別コードが機器本体に記憶され、リモコンと機器本体との識別コードが確実に合致したものとなる。しかも、このように機器本体に識別コードを記憶させる装置は、極めて簡単である。
【００２３】
請求項２のリモコン操作式機器にあっては、例えば機器本体のプラグをコンセントに差し込んだり、あるいは機器本体の電源スイッチをＯＮにすること等により、識別コード記憶モードとなるので、この間にリモコンを操作することだけで、機器本体に識別コードが記憶される。なお、機器本体に識別コードを記憶させる場合、当該モードにあるときに連続して複数回同一の信号が入力された場合にのみ機器本体に識別コードが記憶されるよう構成するのが好ましい。これにより、識別コード記憶モード中に他のリモコンから単発的に操作識別が入力されても、この操作識別によっては記憶はなされず、正しい識別コードのみを極めて確実に記憶させることができる。
【００２４】
請求項３のリモコン操作式機器にあっては、リモコンから与えられる記憶開始信号によって機器本体が識別コード記憶モードとされるので、設定作業者の識別コードを記憶させようとする主体的意思に基づいてのみ識別コード記憶作業が行われることになる。
【００２５】
請求項４のリモコン操作式機器によると、機器本体が識別コード記憶モードにあることを作業者が確認でき、便利である。
【００２６】
請求項５のリモコン操作式機器によると、識別コードが一度記憶されると、その後に記憶が上書きされることが防止される。このため、記憶させた識別コードとは別の識別コードが予期せずに記憶されてしまう事態が防止される。
【００２７】
請求項６の通り、本発明は便器に設置される温水洗浄装置に適用するのに好適である。
【発明を実施するための最良の形態】
【００２８】
以下、図面を参照して実施の形態について説明する。第１図は実施の形態に係るリモコン操作式機器としての温水洗浄装置を備えたトイレルーム内の斜視図、第２図はリモコンの正面図、第３図は温水洗浄装置のブロック図である。
【００２９】
洋風便器１０の後部上面にロータンク１１が設置され、このロータンク１１の前面側に便座ボックス１２が設置されている。この便座ボックス１２は、洋風便器１０の側方に張り出す張出部１３を有し、この張出部１３の上面にスイッチパネル（銘板）よりなる本体操作部１４と、後述するリモコン２０からの信号を受信する信号受信部５１が設けられている。
【００３０】
便座ボックス１２には、洗浄ノズル１５，１６の他、図示は省略するが、温水タンク、該温水タンクから洗浄ノズル１５，１６に温水を供給するためのポンプ、該ポンプからの温水を洗浄ノズル１５，１６のいずれかに供給するための洗浄ノズル切替弁等が設けられている。これら洗浄ノズル１５，１６、温水タンク、ポンプ及び切替弁により、洗浄手段５４（第３図参照）が構成されている。また、この便座ボックス１２には、温風乾燥ファン（第３図参照）５５が設けられ、暖房便座１７、便蓋１８が上下方向に回動可能に取り付けられている。
【００３１】
この洋風便器１０の側方のトイレルーム壁面にリモコン２０が設置されている。このリモコン２０には、肛門洗浄用操作スイッチ（シャワースイッチ）２１ａ，２１ｂ，２１ｃ、ビデ洗浄用操作スイッチ２２ａ，２２ｂ，２２ｃ、温風を吹き出させるドライスイッチ２３ａ，２３ｂ，２３ｃ、肛門洗浄（シャワー洗浄）、ビデ洗浄、温風乾燥等の作動をストップさせるストップスイッチ２４が設置されている。なお、各スイッチ２１ａ〜２１ｃ、２２ａ〜２２ｃ、２３ａ〜２３ｃのうち２１ａ，２２ａ，２３ａは温水量又は温風量を少ないものとする弱スイッチであり、２１ｃ，２２ｃ，２３ｃは温水量又は温風量を多いものとする強スイッチであり、２１ｂ，２２ｂ，２３ｂは温水量又は温風量を中間量とする中スイッチである。
【００３２】
また、リモコン２０には、温水又は温風の温度を上昇させるスイッチ２５と低下させるスイッチ２６とが設けられていると共に、暖房便座１７の温度を調節するためのスイッチ２７，２８が設けられている。ただし、このスイッチ２７，２８はスイッチ２５，２６と共用するよう構成されてもよい。これらスイッチ２１ａ〜２１ｃ、２２ａ〜２２ｃ、２３ａ〜２３ｃ及び２４〜２８によりリモコン操作部４０が構成されている。また、リモコン２０の上面には、リモコン２０からの信号を便座ボックス１２に送信するための送信信号部４２が設けられている。
【００３３】
なお、このリモコンン操作部４０と同様のスイッチが張出部の本体操作部１４にも設けられている。図示はしないが、洗浄の広がりを調整するためのワイド洗浄入／切スイッチ、洗浄位置前進スイッチ、その後退スイッチ、便座の温度を調整するための便座温度調節スイッチが設けられてもよい。
【００３４】
便座ボックス１２内の回路基板上の回路には、制御部５２と、予め複数の識別コードＤ１〜Ｄｎが設定された識別コード記憶部５３が設けられている。この識別コード記憶部５３には、複数の識別コードＤ１〜Ｄｎのうち、特定の１つのコードＤ１を自己の識別コードとして初期設定されている。この初期設定コードＤ１は、他の識別コード（Ｄ１〜Ｄｎのいずれか）に変更されない限り、そのまま保持される。
【００３５】
便座ボックス１２には、現在のモードが通常運転モードであるか、識別コードを記憶する識別コード記憶モードであるかを表示するＬＥＤランプ等のモード表示手段５６が設けられている。信号受信部５１又は本体操作部１４からの信号が制御部５２に入力され、該制御部５２によって洗浄手段５４、温風乾燥ファン５５及びモード表示手段５６の作動が制御される。制御部５２と識別コード記憶部５３との間でコード信号が授受される。
【００３６】
リモコン２０にあっては、リモコン操作部４０のスイッチのいずれかを操作すると、操作信号が制御部４１に送信される。制御部４１は、この操作信号と共に、予め設定されているこのリモコン２０に特有の識別コード（Ｄ１〜Ｄｎのいずれか）を示す識別コード信号を信号送信部４２に送信する。この信号送信部４２は、これら操作信号と識別コード信号とを発信する。
【００３７】
このように構成された温水洗浄装置の作動について次に説明する。
【００３８】
この温水洗浄装置本体のプラグをコンセントに差し込み、温水洗浄装置本体の電源スイッチをＯＮにすると、この温水洗浄装置は所定時間（例えば５〜１０秒）、識別コード記憶モードにおかれ、モード表示手段５６がその旨の表示を行う。
【００３９】
この識別コード記憶モードにある間にリモコン２０の特定のスイッチが所定回数（例えば５回）以上連続して繰り返し操作されると、該リモコンからの信号が制御部５２において記憶開始指令信号として認識され、当該リモコン信号に含まれる識別コード（Ｄ１〜Ｄｎのいずれか）を識別コード記憶部５３に伝達する。識別コード記憶部５３は、予め設定されている複数のコード（Ｄ１〜Ｄｎ）中に、この識別コード信号に対応するコードがあれば、この識別コードをこの温水洗浄装置本体の識別コードとして記憶する。そして、識別コード記憶モードを終了させると共に、モード表示手段５６の記憶モード表示を停止させる。
【００４０】
なお、識別コード記憶モードにある期間内にリモコン２０から信号が入力されない場合は、電源投入から前記所定時間が経過した後、識別コード記憶モードを終了させる。この場合、識別コード記憶部５３には、予め初期設定されている識別コードＤ１が当該温水洗浄装置本体の識別コードとしてそのまま保持される。
【００４１】
上記のように、この識別コード記憶モードにある間にリモコン２０の特定のスイッチを所定回数以上連続して繰り返し操作した場合に限り当該信号中の識別コードを新たな識別コードとして記憶する（上書きする）のは、他の温水洗浄装置本体を操作すべく他のリモコンが操作され、当該他のリモコンからの信号が信号受信部５１に到達しても、その中の識別コードを記憶させないようにするためである。リモコン２０の特定のスイッチを複数回連続して操作することは、通常のリモコン操作の場合には殆どあり得ないので、上記記憶手順によれば確実に正しい識別コードを記憶させることができる。
【００４２】
温水洗浄装置本体の識別コード記憶部５３に予め登録されている識別コードＤ１〜Ｄｎの中からリモコン信号中の識別コードと合致するものをこの温水洗浄装置本体の識別コードとして設定することにより、別機種のリモコン信号の識別コードを誤って記憶設定することを防止することができる。
【００４３】
識別コードを記憶させた後、直ちに識別コード記憶モードを終了させることにより、記憶させた識別コードが上書きされて書き変えられることを防止することができる。
【００４４】
また、上記のように、温水洗浄装置本体に予め識別コードの１つ（Ｄ１）を記憶させておくことにより、識別コード記憶操作を行わなくても、その識別コード（Ｄ１）を発信するリモコンを用いる限りは当該温水洗浄装置を通常通りに作動させることができる。従って、この温水洗浄装置本体とそのためのリモコンを１セットのみトイレルーム内に設置する場合には、識別コード記憶操作を全く行うことなく、この温水洗浄装置を通常の温水洗浄装置と全く同じようにして使用することができる。温水洗浄装置本体及びリモコンを２セット以上、同一のトイレルーム内に設置する場合、２番目以降の温水洗浄装置について識別コードの変更を行えば足りる。
【００４５】
従って、この温水洗浄装置のメーカーは、リモコンとして識別コードＤ１〜Ｄｎのｎ機種のリモコンを生産しておき、リモコンの識別コードの数の如何にかかわりなく同一機種の温水洗浄装置本体を生産・流通させるだけで足りる。リモコンは温水洗浄装置本体に比べて著しく小型であり、構成も簡易であるから、複数機種を生産・流通させることは、機器の生産コストを殆ど上昇させない。また、容易に流通される。温水洗浄装置は、多くのものがトイレルームに１個だけ設置されるものであるところから、リモコンは大部分のものが識別コードＤ１のもので良く、２以上の温水洗浄装置が並設される場合にのみ、識別コードＤ２以降のリモコンを販売すれば足りる。
【００４６】
このように識別コードを設定した温水洗浄装置本体が通常運転モードにあるときに、リモコンが操作され、信号が制御部５２に入力されると、該制御部５２は、識別コード記憶部５３に設定されている識別コードと入力信号に含まれる識別コードとを対比する。便座ボックス１２側の識別コードと受信された識別コードとが異なる場合は、受信した操作信号を無視する。受信信号中の識別コードがこの便座ボックス１２の識別コードと同一の場合は、受信した操作信号に基づいて洗浄手段５４又は温風乾燥ファン５５の作動制御を行う。
【００４７】
なお、便座ボックス１２の本体操作部１４のスイッチを操作した場合は、この本体操作部１４から操作信号が制御部５２に入力され、該制御部５２により洗浄手段５４又は温風乾燥ファン５５が作動制御される。
【００４８】
上記実施の形態では、電源をＯＮとすることにより識別コード記憶モードを開始させるようにしているが、リモコンや本体操作部のスイッチ操作により識別コード記憶モードを開始させてもよい。この場合、記憶モード設定専用のスイッチを設けてもよいが、温水洗浄装置操作用の特定の複数のスイッチを同時に押す（好ましくは複数回連続して繰り返し押したり、連続して長押しする）ことにより、識別コード記憶モードが設定されるようにしてもよい。
【図面の簡単な説明】
【００４９】
【図１】実施の形態に係るリモコン操作式機器としての温水洗浄装置を備えたトイレルーム内の斜視図である。
【図２】リモコンの正面図である。
【図３】温水洗浄装置のブロック図である。
【符号の説明】
【００５０】
１３  便座ボックス
１４  本体操作部
２０  リモコン
４０  リモコン操作部
４１  制御部
４２  信号送信部
５１  信号受信部
５２  制御部
５３  識別コード記憶部
５４  洗浄手段
５５  温風乾燥ファン
５６  モード表示手段
【図１】
2005184115.tif 000003
【図２】
2005184115.tif 000004
【図３】
2005184115.tif 000005